(57)【要約】【課題】釣り用リールの構成の簡素化を実現する。【解決手段】この釣り用リールは、釣りに関する第２情報を表示する第２表示部６３と各種のデータを保持する記憶部６７とを有する釣り情報表示装置６０に有線又は無線により接続可能であり、釣り情報表示装置６０に有線又は無線により接続されるリール本体１と、リール本体１に装着されリールに関する第１情報を表示する第１表示部５と、釣り情報表示装置６０の記憶部６７に保持されたデータを元にリール動作の制御を行う第１リール制御部３１と、を備えている。【選択図】図１０
2006212032.tif 000002
【特許請求の範囲】
【請求項１】
釣りに関する第２情報を表示する第２表示部と各種のデータを保持する記憶部とを有する釣り情報表示装置に有線又は無線により接続可能な釣り用リールであって、
前記釣り情報表示装置に有線又は無線により接続されるリール本体と、
前記リール本体に装着されリールに関する第１情報を表示する第１表示部と、
前記釣り情報表示装置の記憶部に保持されたデータを元にリール動作の制御を行う第１リール制御部と、
を備えた釣り用リール。
【請求項２】
前記釣り情報表示装置は、釣り船に搭載された魚群探知機に有線又は無線により接続可能であり、
前記第２情報は前記魚群探知機により収集された情報である、
請求項１に記載の釣り用リール。
【請求項３】
前記釣り情報表示装置を制御可能な外部制御手段をさらに備えている、請求項１又は２に記載の釣り用リール。
【請求項４】
釣り用リールと、
前記釣り用リールに有線又は無線により接続され、釣りに関する第２情報を表示する第２表示部と各種のデータを保持する記憶部とを有する釣り情報表示装置と、
を備え、
前記釣り用リールは、
前記釣り情報表示装置に有線又は無線により接続されるリール本体と、
前記リール本体に装着されリールに関する第１情報を表示する第１表示部と、
前記釣り情報表示装置の記憶部に保持されたデータを元にリール動作の制御を行う第１リール制御部と、を有する、
釣り情報表示システム。
【請求項５】
前記釣り情報表示装置は前記釣り用リール及び前記第２表示部の制御を行う制御部を有している、請求項４に記載の釣り情報表示システム。
【請求項６】
前記釣り情報表示装置は、釣り船に搭載された魚群探知機に有線又は無線により接続可能であり、
前記第２情報は前記魚群探知機により収集された情報である、
請求項４又は５に記載の釣り情報表示システム。
【請求項７】
前記釣り用リールは、前記釣り情報表示装置を制御可能な外部制御手段をさらに備えている、請求項４から６のいずれかに記載の釣り用リール。
【請求項８】
前記釣り情報表示装置は前記釣り用リールを制御する第２リール制御部をさらに備え、
前記第１リール制御部は前記釣り用リールのリール動作の一部分を制御可能であり、
前記第２リール制御部は前記釣り用リールのリール動作の他部分を制御可能である、
請求項４から７のいずれかに記載の釣り情報表示システム。
【発明の詳細な説明】
【技術分野】
【０００１】
本発明は、釣り用リール、特に、釣りに関する情報を表示する表示部と各種のデータを保持する記憶部とを有する釣り情報表示装置に有線又は無線により接続可能な釣り用リールに関する。また、本発明は、釣り用リール及び釣り情報表示装置を有する釣り情報表示システムに関する。
【背景技術】
【０００２】
一般に、釣り用リールは、リール本体と、リール本体に装着されたスプールと、スプールを回転させるハンドルと、リール本体の上部に装着されるカウンタケースと、カウンタケースの上面に設けられたスイッチ操作部と、カウンタケースの上面に設けられ水深表示用の表示部を有する表示装置とを備えている。表示部は、たとえば液晶ディスプレイであり、棚位置や現在の仕掛けの水深等のリールに関する第１情報を表示することができる。
【０００３】
また、一般に、釣り船には、魚群探知機や全地球測位システム（ＧＰＳ）等の釣りに関する第２情報を収集可能な情報収集装置が搭載されている。このような情報収集装置には、第２情報を表示可能な表示部が設けられている（たとえば、特許文献１参照）。この種の情報収集装置は、一般に、釣人から離れた位置に配置されることが多い。このため、船頭は、表示部に表示された釣りに関する情報を釣人に口頭で提供している。
【特許文献１】特開２００２−１４２６２３号公報
【発明の開示】
【発明が解決しようとする課題】
【０００４】
前記従来の情報収集装置には、表示部が設けられているので、第２情報を得ることができる。しかし、情報収集装置は釣人から離れた位置に配置されているので、釣人には、たとえば船頭から口頭で第２情報が提供されることとなり、第２情報をリアルタイムに得るのは困難である。
【０００５】
そこで、このような問題を解決するために、第２情報を表示可能な釣り情報表示装置を釣人の近傍に設けることが考えられる。このような釣り情報表示装置を釣人の近傍に設けることにより、第２情報が釣り情報表示装置に表示され、第２情報を迅速に得ることができる。
【０００６】
しかし、この種の釣り情報表示装置において、各種の第２情報を表示させるには、釣り情報表示装置に設けられたスイッチ操作部を操作する必要がある。たとえば魚群探知機から得られる魚の棚位置等の第２情報を表示させるとき、釣り情報表示装置に設けられたスイッチ操作部を操作して第２情報を表示させる。
【０００７】
このとき、釣り情報表示装置で得られた第２情報をもとに現在の棚位置をリールにセットすることがある。リールに棚位置をセットする操作は、カウンタケースの上面に設けられたスイッチ操作部で行わなければならない。このため、各種の操作を行う毎に、リールと釣り情報表示装置との間を往来しなければならず、各種の操作の操作性が低下するおそれがある。
【０００８】
また、リールの制御が複雑になってくると、リールに設けられる記憶部のデータ保持容量を大きくする必要があり、リールのコストアップを招く。
【０００９】
本発明の課題は、釣り用リールの構成の簡素化を実現することにある。
【００１０】
本発明の別の課題は、釣り用リールと情報表示装置を含むシステムにおいて、各種の操作の操作性を向上させることにある。
【課題を解決するための手段】
【００１１】
発明１に係る釣り用リールは、釣りに関する第２情報を表示する第２表示部と各種のデータを保持する記憶部とを有する釣り情報表示装置に有線又は無線により接続可能であり、釣り情報表示装置に有線又は無線により接続されるリール本体と、リール本体に装着されリールに関する第１情報を表示する第１表示部と、釣り情報表示装置の記憶部に保持されたデータを元にリール動作の制御を行う第１リール制御部と、を備えている。
【００１２】
この場合は、釣り情報表示装置の記憶部に多くのデータを保持できるので、リールの構成を簡素化できる。
【００１３】
発明２に係る釣り用リールは、発明１において、釣り情報表示装置は、釣り船に搭載された魚群探知機に有線又は無線により接続可能であり、第２情報は魚群探知機により収集された情報である。
【００１４】
発明３に係る釣り用リールは、発明１又は２において、釣り情報表示装置の第２表示部の表示を制御可能な外部制御手段をさらに備えている。
【００１５】
この釣り用リールでは、釣り情報表示装置を制御可能な外部制御手段を有している。このため、たとえば釣り情報表示装置に設けられた各種の操作を行うスイッチ操作部や、各種の表示を行う表示部等の制御を、たとえば釣り用リールに設けられたスイッチ操作部によって行うことができるので、各種の操作の操作性を向上できる。
【００１６】
発明４に係る釣り情報表示システムは、釣り用リールと釣り情報表示装置とを有している。釣り用リールは、釣り情報表示装置に有線又は無線により接続されるリール本体と、リール本体に装着されリールに関する第１情報を表示する第１表示部と、釣り情報表示装置の記憶部に保持されたデータを元にリール動作の制御を行う第１リール制御部と、を有する。釣り情報表示装置は、釣り用リールに有線又は無線により接続され、釣りに関する第２情報を表示する第２表示部と、各種のデータを保持する記憶部と、を有する。
【００１７】
発明５の係る釣り情報表示システムは、発明４において、釣り情報表示装置は釣り用リール及び第２表示部の制御を行う制御部を有している。
【００１８】
発明６に係る釣り情報表示システムは、発明４又は５において、釣り情報表示装置は、釣り船に搭載された魚群探知機に有線又は無線により接続可能であり、第２情報は魚群探知機により収集された情報である。
【００１９】
発明７に係る釣り情報表示システムは、発明４から６のいずれかにおいて、釣り用リールは、釣り情報表示装置の第２表示部の表示を制御可能な外部制御手段をさらに備えている。
【００２０】
発明８に係る釣り情報表示システムは、発明４から７のいずれかにおいて、釣り情報表示装置は釣り用リールを制御する第２リール制御部をさらに備えている。そして、第１リール制御部は釣り用リールのリール動作の一部分を制御可能であり、第２リール制御部は釣り用リールのリール動作の他部分を制御可能である。
【００２１】
この釣り情報表示システムでは、たとえば第１リール制御部によってリール側でモータの回転制御等の必要最低限の制御のみを行い、第２リール制御部によって釣り情報表示装置側で棚停止機能、誘い機能や自動しゃくり機能等の付加的な制御を行うことができる。このため、釣り情報表示装置を用いずにリール単独で使用する場合には、必要最低限の制御のみ行えるので、リール制御の構成が容易になるとともに、各種の操作の操作性を向上できる。また、釣り情報表示装置をリールに接続して使用する場合には、釣り情報表示装置側で付加的な制御を行えるので、リール自体を拡張することなく、釣り情報表示装置側でのみ逐次的に機能拡張を行うことができる。
【発明の効果】
【００２２】
以上のような本発明では、釣り用リールの構成の簡素化を実現することができる。また、釣り用リールと情報表示装置を含むシステムにおいて、各種の操作の操作性を向上させることができる。
【発明を実施するための最良の形態】
【００２３】
本発明の一実施形態を採用した電動リールは、図１に示すように、釣竿Ｒに装着されるリール本体１と、リール本体１の側方に配置されたスプール回転用のハンドル２と、ハンドル２のリール本体１側に配置されたドラグ調整用のスタードラグ３と、リール本体１の上部に設けられたケース部材４とを備えている。
【００２４】
リール本体１は、釣竿Ｒに装着されるものであり、左右１対の側板７ａ、７ｂとそれらを連結する複数の連結部８とからなるフレーム７と、フレーム７の左右を覆う左右の側カバー９ａ、９ｂとを有している。ハンドル２側の側カバー９ｂには、ハンドル２の図示しない回転軸が回転自在に支持されている。
【００２５】
リール本体１の内部には、ハンドル２に連結されたスプール１０が回転自在に支持されている。スプール１０の内部には、スプール１０を糸巻き上げ方向に回転駆動するモータ１２が配置されている。また、側カバー９ｂのハンドル２側側面には図示しないクラッチ機構を操作するためのクラッチレバー１１が配置されている。後部の連結部８の側板７ａ側には図示しない外部電源及び別体で設けられた後述する釣り情報表示装置６０を接続するためのリールコード１９が装着されている。
【００２６】
ケース部材４は、図１に示すように、リール本体１の上部に配置されたアルミニウム合金製のケースであり、内部の空間に各種の電気部品が収納されている。ケース部材４の上面には、透明樹脂製の表示窓を介して仕掛けの水深や棚位置を水面からと底からとの２つの基準でリールに関する情報を表示するための液晶ディスプレイからなる第１表示部５と、第１表示部５の周囲に配置された操作キー部６とが設けられている。操作キー部６は、後述する釣り情報表示装置６０の第２表示部６３の表示制御等の各種の制御を行うスイッチとしても機能する。
【００２７】
第１表示部５は、図２に示すように、中央に配置された４桁の７セグメント表示の水深表示領域５ａと、その下方に配置された３桁の底水深表示領域５ｂと、水深表示領域５ａの図４右側に配置された変速段数表示領域５ｃとを有している。また、第１表示部５には、「底から」、「学習」、「指定」、「下巻」、「修正」、「入力」、「糸送止」、「０セット」の８つの文字を表示可能である。「底から」の文字は、水深表示モードが底からモードの時に表示される。底からモードとは、仕掛けの水深を底基準で表示するモードである。なお、通常は、仕掛けの水深は水面基準（上からモード）で表示される。また、「学習」から「入力」までの文字は、糸巻モードの種類を示しており、いずれかが択一的に選択されると選択された糸巻モードの文字が表示される。
【００２８】
操作キー部６は、第１表示部５の図２右側に上下に並べて配置された変速キーＳＫ及びモータキーＰＷと、図２左側に上下に並べて配置された底メモキーＳＭ及びモードキーＭＤとを有している。
【００２９】
モータキーＰＷは、モータ１２をオン、オフするとともに、オン時間によりモータ１２を増速するためのトグルスイッチである。
【００３０】
変速キーＳＫは、駆動されたモータ１２を増減速するためのキーであり、上下の２つのスイッチ（上スイッチＳＫ１及び下スイッチＳＫ２）と中立位置とを有するシーソー型のスイッチである。上スイッチＳＫ１を押すと増速し、下スイッチＳＫ２を押すと減速する。また、モータ１２を駆動していないときに上スイッチＳＫ１を所定時間以上押すと表示モードを「上から」と「底から」との間で切り換えできる。また、下スイッチＳＫ２を所定時間以上押すと糸送りモード（繰り出し時にクラッチを切った状態でモータ１２を駆動させて糸送り速度を速くするモード）をオン、オフできる。
【００３１】
底メモキーＳＭは、仕掛けが底に到達したときに押されるスイッチであり、そのときの水深が底として設定される。この底メモキーＳＭを所定時間以上押すと、釣り糸が切れたときになどに水深表示の０点を新たな位置にセットできる。
【００３２】
モードキーＭＤは、５種の糸巻モードを設定するためのスイッチであり、たとえばこれを１回押すと学習モードに設定され、２回連続して押すと指定モード、３回連続して押すと下巻モード、４回連続して押すと修正モード、５回連続して押すと入力モードにそれぞれ糸巻モードが設定される。
【００３３】
操作キー部６は、後述する釣り情報表示装置６０の第２表示部６３の表示制御等を行うことも可能である。たとえば操作キー部６を操作することにより、第２表示部６３に表示されるメニュー等を選択できる。
【００３４】
ケース部材４の内部には、図３に示すように、水深表示制御やモータ駆動制御等を行うＣＰＵ、ＲＡＭ、ＲＯＭ、Ｉ／Ｏインターフェイス等を含むマイクロコンピュータからなるリール制御部３０を有している。リール制御部３０には、操作キー部６の各種キー、スプール１０の回転位置及び方向を検出するためのスプールセンサ４１、スプールセンサ４１からの所定パルス毎に値が変化するスプールカウンタ４２が接続されている。また、リール制御部３０には、各種の警報を出力するためのブザー４３、各種の表示を行うための第１表示部５、各種のデータを記憶する記憶部４５、モータ１２をＰＷＭ駆動するＦＥＴを含むＰＷＭ駆動回路４４、及び他の入出力部が接続されている。さらに、リール制御部３０には、リールに関する第１情報を外部に送信したり、釣り情報表示装置６０及び情報
集約装置７０を介して魚群探知機５３やＧＰＳ５４からの釣りに関する第２情報を受信するための情報通信部５０が接続されている。
【００３５】
情報通信部５０は、図１及び図３に示すように、リールコード１９を介した有線通信によって、釣り情報表示装置６０に設けられた情報通信部５１に接続されている。
【００３６】
釣り情報表示装置６０は、図１に示すように、本体部材６４と、本体部材６４に装着され各種の情報を表示可能な第２表示部６３と、第２表示部６３の周囲に配置され各種の操作を行う操作キー部６２と、本体部材６４の両側部に配置され情報通信部５１に接続されるアンテナ部６５とを有している。
【００３７】
本体部材６４は、図１に示すように、各種の電気部品が収納される金属製の第１部材６４ｂと、第２表示部６３が設けられる合成樹脂製の第２部材６４ａとを有している。合成樹脂製の第２部材６４ａの両側部には、金属製の凸部からなるアンテナ部６５がそれぞれ形成されている。
【００３８】
釣り情報表示装置６０の内部には、図３に示すように、表示制御等を行うＣＰＵ、ＲＡＭ、ＲＯＭ、Ｉ／Ｏインターフェイス等を含むマイクロコンピュータからなる情報表示制御部６１を有している。情報表示制御部６１には、情報通信部５１、操作キー部６２の各種キー、各種の表示を行うための第２表示部６３が接続されている。
【００３９】
情報通信部５１は、図３に示すように、リールに設けられた情報通信部５０と有線通信可能であり、情報集約装置７０に設けられた情報通信部５２と無線通信可能である。リールと釣り情報表示装置６０とは、ソケット式のリールコード１９により連結され電力及び情報を送受信できる。また、釣り情報表示装置６０と図示しない外部電源とは、鰐口式のコードにより連結され、これにより電力が供給されている。釣り情報表示装置６０と情報集約装置７０とは、たとえばＢｌｕｅｔｏｏｔｈやＷｉ−Ｆｉ等の無線通信技術を用いて接続されている。リールと釣り情報表示装置６０との間及び釣り情報表示装置６０と情報集約装置７０との間は、双方向通信が可能である。
【００４０】
操作キー部６２は、第２表示部６３の表示制御等の各種の制御を行うスイッチである。操作キー部６２は、釣り情報表示装置６０側の制御だけでなく、リール側の制御を行うことができる。たとえば操作キー部６２の操作により、棚停止等の制御を行ったり、モータ１２の回転制御等を行うことができる。
【００４１】
第２表示部６３は、図７から図９に示すように、カラーＴＦＴ方式の液晶ディスプレイであって、リールから得られたリールに関する第１情報と、情報集約装置７０から得られた魚群探知機５３やＧＰＳ５４からの釣りに関する第２情報とを重畳させて表示可能である。たとえば、リールからの釣り糸の負荷データや糸長データ等を魚群探知機５３からのデータをもとに補正して表示したり、魚群探知機５３からの情報とリールからの情報を複合画面にて表示させているとき、水深表示の履歴をグラフ表示させたりすることができる。
【００４２】
情報集約装置７０は、図３に示すように、魚群探知機５３やＧＰＳ５４と接続されており、魚群探知機５３やＧＰＳ５４からの情報を集約して記憶し、釣り情報表示装置６０と双方向通信が可能である。情報集約装置７０の内部には、表示制御等を行うＣＰＵ、ＲＡＭ、ＲＯＭ、Ｉ／Ｏインターフェイス等を含むマイクロコンピュータからなる情報集約制御部７１を有している。情報集約制御部７１には、情報通信部５２、操作キー部７２の各種キー、各種の情報を記憶するための記憶部７３が接続されている。
【００４３】
情報通信部５２は、図３に示すように、釣り情報表示装置６０に設けられた情報通信部５１と無線通信可能であり、魚群探知機５３やＧＰＳ５４と有線通信可能である。
【００４４】
操作キー部７２は、船頭の知らせたい情報、たとえば仕掛けを下ろす等の指示情報を入力可能である。この入力情報は記憶部７３に記憶され、釣り情報表示装置６０に送信されて表示される。ここでは、従来、船頭がマイクを用いて指示していた内容を釣り情報表示装置６０に表示させることができるので、情報伝達が確実に容易になる。
【００４５】
次に、リール制御部３０によって行われるリールの主な制御処理を図４以降に示す制御フローチャートに従って説明する。
【００４６】
電動リールに外部電源が接続されると、図４に示すステップＳ１において初期設定が行われる。ここでは、各種のフラグをリセットしたり、表示モードを釣りモードに設定する等の処理を実行する。
【００４７】
ステップＳ２では、第１表示部５及び第２表示部６３に対する表示処理を行う。ここでは、第２表示部６３において表示モードが釣りモードのときには、図７に示すように、算出された水深表示や速度表示を行う。また、第２表示部６３において通信モードのときには、図８に示すように、通信モードの初期画面を表示する。この通信モードの初期画面では、通信メニューとして、たとえば「魚群探知機情報」、「ＧＰＳ情報」の２つのメニューが表示される。これらの２つの釣りに関する情報を操作キー部６の操作により選択可能である。
【００４８】
ここで、魚群探知機情報とは、魚群探知機５３から得られる釣りに関する第２情報の処理を行うものである。ＧＰＳ情報とは、釣りに関する第２情報であって、ＧＰＳ５４から得られる位置情報の表示を行うものである、ここから図９に示すように、釣りを行う場所の魚群の情報や水温などの釣りに関する情報を図形や数値により得ることができる。
【００４９】
ステップＳ３では、操作キー部６の各種キーの操作によるキー入力の割り込みがなされたか否かを判断する。ステップＳ３においてキー入力がなされると、ステップＳ６に移行し、キー入力処理を行う。
【００５０】
ステップＳ４では、スプール１０が回転したか否かを判断する。この判断は、スプールセンサ４１の出力により判断する。スプール１０が回転していると判断すれば、ステップＳ４からステップＳ７に移行する。ステップＳ７では、通信モードであるか否かの判断を行い、通信モードのときにはステップＳ８に移行して、表示モードを通信モードから釣りモードに切り換える。通信モードではないとき、及びステップＳ８の処理が終了すると、ステップＳ９の各動作モード処理に移行する。
【００５１】
ステップＳ５では、その他の指令がなされたか否かを判断する。その他の指令がなされるとステップＳ５からステップＳ１０に移行し、指令に応じたその他の処理を行う。
【００５２】
ステップＳ６のキー入力処理では、図５のステップＳ１１でモードキーＭＤが操作されたか否かを判断する。ステップＳ１２では、変速キーＳＫ又はモータキーＰＷが操作されたか否かを判断する。ステップＳ１３では他のキーが操作されたか否かを判断する。
【００５３】
モードキーＭＤが操作されたと判断するとステップＳ１１からステップＳ１５に移行し、表示モードが釣りモードか否かを判断する。釣りモードのときにはステップＳ１６に移行し、表示モードを通信モードに切り換える。通信モードのときにはステップＳ１７に移行し表示モードを釣りモードに切り換える。表示モードが通信モードに切り換えられると、情報通信部５０を制御して釣り情報表示装置６０との通信が可能になり、図４のステップＳ２での表示処理で図８に示す初期画面が表示される。
【００５４】
変速キーＳＫ又はモータキーＰＷが操作されるとステップＳ１２からステップＳ１８に移行する。ステップＳ１８では、表示モードが釣りモードか否かを判断する。釣りモードと判断するとステップＳ１９に移行し、変速キーＳＫ又はモータキーＰＷの操作されたキーに応じたモータ制御処理を行う。たとえば、モータキーＰＷが押圧操作されるとモータ１２をオン、オフする。変速キーＳＫにおいては、上スイッチＳＫ１を押圧操作されると増速処理し、下スイッチＳＫ２が押圧操作されると減速処理する。
【００５５】
通信モードのときには、ステップＳ２０に移行し、カーソルの移動によりメニューを制御するメニュー制御処理を実行する。
【００５６】
ステップＳ２０のメニュー制御処理では、上スイッチＳＫ１又は下スイッチＳＫ２により第１表示部５上でカーソルの移動を行い、中央のスイッチの押圧によりメニューの選択を行う。たとえば、図８の通信メニューでは、上スイッチＳＫ１又は下スイッチＳＫ２を押すと、カーソルがメニューの項目を上下に移動して中央のスイッチの押圧操作によりメニューが選択され、情報通信部５０から情報が受信され、次の処理に移る。そして、上スイッチＳＫ１又は下スイッチＳＫ２によりカーソルを上下に移動していくつかの選択処理を行うと、図９に示すような釣り場での魚群探知機５３からの釣りに関する第２情報を表示可能になる。
【００５７】
ステップＳ９の各動作モード処理では、図６のステップＳ４１でスプール１０の回転方向が糸繰り出し方向か否かを判断する。この判断は、スプールセンサ４１のいずれのリードスイッチが先にパルスを発したか否かにより判断する。スプール１０の回転方向が糸繰り出し方向と判断するとステップＳ４１からステップＳ４２に移行する。
【００５８】
ステップＳ４２では、スプールセンサ４１の所定パルス毎に減少するスプールカウンタ４２の値から記憶部４５に記憶されたデータを読み出し、繰り出された糸長を算出しさらに糸長から水深ＬＸを算出する。この得られた水深ＬＸがステップＳ２の表示処理で表示される。このときの第１表示部５の画面例を図２に、第２表示部６３の画面例を図７に示す。この釣りモードの各動作モード処理では、第１表示部５及び第２表示部６３に仕掛けの水深や棚位置やスプール１０の速度などの情報が表示される。
【００５９】
ステップＳ４３では、得られた水深ＬＸが棚位置に一致したか、つまり、仕掛けが棚に到達したか否かを判断する。ステップＳ４４では、他の釣りモードか否かを判断する。他の釣りモードではない場合には、各動作モード処理を終わりメインルーチンに戻る。
【００６０】
水深が棚位置に一致するとステップＳ４３からステップＳ４５に移行し、仕掛けが棚に到達したことを報知するためにブザー４３を鳴らす。他の釣りモードの場合には、ステップＳ４４からステップＳ４６に移行し、指定された他の釣りモードを実行する。
【００６１】
スプール１０の回転が糸巻き取り方向と判断するとステップＳ４１からステップＳ４９に移行する。ステップＳ４９では、スプールセンサ４１の所定パルス毎に増加するスプールカウンタ４２の値から記憶部４５に記憶されたデータを読み出し、繰り出された糸長を算出しさらに糸長から水深ＬＸを算出する。この得られた水深ＬＸもステップＳ２の表示処理で表示される。
【００６２】
ステップＳ５０では、水深が船縁停止位置に一致したか否かを判断する。船縁停止位置まで巻き取っていない場合にはメインルーチンに戻る。
【００６３】
船縁停止位置に到達するとステップＳ５０からステップＳ５１に移行する。ステップＳ５１では、仕掛けが船縁にあることを報知するためにブザー４３を鳴らす。ステップＳ４４では、モータ１２をオフする。これにより魚が釣れたときに取り込みやすい位置に魚が配置される。この船縁停止位置は、たとえば水深６ｍ以内で所定時間以上スプール１０が停止しているとセットされる。
【００６４】
この電動リールでは、リールから得られる第１情報と、魚群探知機５３及びＧＰＳ５４から得られる第２情報を情報集約装置７０を介して釣り情報表示装置６０に表示させている。そして、電動リールの操作キー部６によって釣り情報表示装置６０を制御可能、かつ釣り情報表示装置６０の操作キー部６２によって電動リールを制御可能である。
【００６５】
ここでは、電動リールの操作キー部６によって釣り情報表示装置６０を制御可能、かつ釣り情報表示装置６０の操作キー部６２によって電動リールを制御可能である。このため、たとえば釣り情報表示装置６０の操作キー部６２によって、電動リールの棚停止等の制御を行うことができるので、各種の操作の操作性を向上できる。
【００６６】
〔他の実施形態〕
（ａ）  前記実施形態では、釣り船の情報収集手段として魚群探知機５３やＧＰＳ５４を示したが、たとえば、釣り船がインターネット情報を収集できる機能を有している場合には、得られたインターネット情報を表示できるようにしてもよい。また、釣り船が海底などの地形情報を収集できる場合には、得られた地形情報を表示するようにしてもよい。また、これらの情報は、デジタル化された高密度情報であってもよい。
【００６７】
（ｂ）  前記実施形態では、釣り用リールとして電動リールを例に説明したが、これに限定されず、手巻きのカウンタリール等であってもよい。
【００６８】
（ｃ）  リールを特定する固有のＩＤコード（識別情報）を保持する情報保持手段と、ＩＤコードを送信する情報送信手段とをさらに備えていてもよい。この場合、釣りに関する情報は情報送信手段で送信されたＩＤコードに関連する情報とすることで、リールを特定する固有のＩＤコードを送信することにより、各リールに適した釣りに関する情報を双方向通信によって受信できる。
【００６９】
（ｄ）  第１表示部５及び第２表示部６３は、各種情報を全て表示する標準画面と、表示項目を概略化して簡易表示を行う簡易画面とに切り換え可能であってもよい。
【００７０】
（ｅ）  電動リールと釣り情報表示装置６０との接続方法や、釣り情報表示装置６０と情報集約装置７０との接続方法は、前記実施形態に限定されず、有線通信及び無線通信のいずれかの組み合わせでもよい。無線通信の方法は、ＢｌｕｅｔｏｏｔｈやＷｉ−Ｆｉ等の無線通信技術に限定されず、赤外線通信や他の通信プロトコルを用いてもよい。また、情報集約装置７０を設けずに、魚群探知機５３及びＧＰＳ５４を直接的に釣り情報表示装置６０に接続してもよい。また、情報収集端末として魚群探知機５３及びＧＰＳ５４の複数端末を接続したが、これらに限定されず、単一の端末のみ接続してもよい。
【００７１】
（ｆ）  前記実施形態では、釣り情報表示装置６０は外部電源から給電されていたが、内部電池により給電するようにしてもよい。また、電動リールと釣り情報表示装置６０とがリールコード１９により接続されていたが、電動リールと外部電源とを直接的に接続してもよい。また、コードのコネクタの形状は、ソケット式及び鰐口式に限定されるものではない。
【００７２】
（ｇ）  前記実施形態では、釣り情報表示装置６０は、電動リールの外部に離反して設けられていたが、電動リールのケース部材４の前部又は上部に着脱可能に装着できる構成にしてもよい。また、釣り情報表示装置６０は、外光を遮蔽するために第２表示部６３を覆う開閉式のカバー部材をさらに設けてもよい。この場合、第２表示部６３の視認性を向上できるとともに、カバー部材を閉じたとき第２表示部６３の表面を保護できる。
【００７３】
（ｈ）  前記実施形態では、釣り情報表示装置６０の第２表示部６３に第１情報及び第２情報を表示させていたが、電動リールの第１表示部５に第１情報及び第２情報を表示させてもよい。
【００７４】
（ｉ）  前記実施形態では、電動リールの操作キー部６によって釣り情報表示装置６０を制御可能、かつ釣り情報表示装置６０の操作キー部６２によって電動リールを制御可能であったが、双方向の制御でなくいずれかの方向の制御のみ可能な構成であってもよい。
【００７５】
（ｊ）  図１０に示すように、リール側に設けられリールの一部分を制御可能な第１リール制御部３１と、釣り情報表示装置６０側に設けられリールの他部分を制御可能な第２リール制御部６６とを備えた構成にしてもよい。第１リール制御部３１にはＰＷＭ駆動回路４４を介してモータ１２が接続されており、第１リール制御部３１によってモータ１２の回転制御を行う。第２リール制御部６６には、操作キー部６２の各種キー、各種の表示を行うための第２表示部６３、各種のデータを記憶する記憶部６７が接続されている。
【００７６】
ここでは、たとえば記憶部６７に保持された複数の誘いデータ等の各種のデータを元に釣人が釣り情報表示装置６０の操作キー部６２を操作することにより、情報通信部５１、情報通信部５０、第１リール制御部３１を介してリールの制御である棚停止機能、誘い機能や自動しゃくり機能等の制御を行うことができる。この場合、リールに釣り情報表示装置６０が接続されていないときは、モータ１２の回転制御等の必要最低限の制御のみ行え、リールに釣り情報表示装置６０が接続されたときは、釣り情報表示装置６０の第２リール制御部６６によってリールの付加的な制御を行える。したがって、リール制御の構成が容易になるとともに、各種の操作の操作性を向上でき、さらに、リール自体を拡張することなく釣り情報表示装置側でのみ逐次的に機能拡張を行える。
【００７７】
なお、前記実施形態ではリール側のリール制御部３０に記憶部４５が接続されていたが、これに代えて釣り情報表示装置６０側の第２リール制御部６６に記憶部６７を接続してもよい。これにより、リールの構成を簡素化できるとともに、釣り情報表示装置６０の記憶部６７に多くのデータを保持できる。
【図面の簡単な説明】
【００７８】
【図１】本発明の一実施形態による電動リールの斜視図。
【図２】前記電動リールの平面一部拡大図。
【図３】前記電動リールの制御ブロック図。
【図４】メインルーチンの処理の内容を示すフローチャート。
【図５】キー入力処理の内容を示すフローチャート。
【図６】各動動作モード処理の内容を示すフローチャート。
【図７】釣り情報表示装置の表示画面の一例を示す図。
【図８】前記釣り情報表示装置の通信モード時の表示画面の一例を示す図。
【図９】前記釣り情報表示装置の釣りモード時の表示画面の一例を示す図。
【図１０】他の実施形態の図３に相当する図。
【符号の説明】
【００７９】
１  リール本体
５  第１表示部
６  操作キー部
３０  リール制御部
３１  第１リール制御部
５０、５１、５２  情報通信部
５３  魚群探知機
６０  釣り情報表示装置
６１  情報表示制御部
６２  操作キー部
６３  第２表示部
６４  本体部材
６６  第２リール制御部
６７  記憶部
【図１】
2006212032.tif 000003
【図２】
2006212032.tif 000004
【図３】
2006212032.tif 000005
【図４】
2006212032.tif 000006
【図５】
2006212032.tif 000007
【図６】
2006212032.tif 000008
【図７】
2006212032.tif 000009
【図８】
2006212032.tif 000010
【図９】
2006212032.tif 000011
【図１０】
2006212032.tif 000012